(57)【特許請求の範囲】
【請求項１】
ループ状のリング伝送路及び当該リング伝送路上の所定の二点をバイパスするバイパス伝送路を含む通信伝送路に設置される伝送装置であって、
前記バイパス伝送路を介して伝送されるべき信号の伝送経路の切替要求が発生しているか否かを判定する判定手段と、
前記切替要求が発生していると判定された場合に、前記バイパス伝送路を介して伝送されるべき前記信号が前記リング伝送路の少なくとも一部を介して伝送されるように、前記通信伝送路上における前記信号の伝送経路を切り替える切替手段と
を備え、
前記切替手段は、自身が前記バイパス伝送路を終端している伝送装置である場合には、前記バイパス伝送路の現用回線を前記リング伝送路の予備回線へ接続するように前記伝送経路を切り替えることを特徴とする伝送装置。
【請求項２】
前記バイパス伝送路を終端する伝送装置を示す装置情報を取得する取得手段を更に備え、
前記判定手段は、前記装置情報に基づいて、前記バイパス伝送路を介して伝送されるべき信号の伝送経路の切替要求が発生しているか否かを判定することを特徴とする請求項１に記載の伝送装置。
【請求項３】
前記装置情報は、(i)前記リング伝送路上に設置される伝送装置を識別する識別情報が自身の識別情報を起点として順に配列されているトポロジ情報、及び(ii)前記トポロジ情報に含まれる前記識別情報のうち前記バイパス伝送路を終端する伝送装置の前記識別情報に対して、前記バイパス伝送路の対向側の伝送装置の前記識別情報が対応付けられているバイパス情報を含むことを特徴とする請求項２に記載の伝送装置。
【請求項４】
前記切替要求は、前記伝送経路の切替を行なう起点及び終点となる伝送装置を識別する前記識別情報を含み、
前記判定手段は、他の伝送装置から送信される前記切替要求に含まれる前記識別情報が、前記バイパス情報に含まれる前記識別情報と一致する場合に、前記バイパス伝送路を介して伝送されるべき前記信号の伝送経路の切替要求が発生していると判定することを特徴とする請求項３に記載の伝送装置。
【請求項５】
前記切替手段は、自身が前記バイパス伝送路を終端している伝送装置である場合には、前記バイパス伝送路の現用回線を、前記リング伝送路の一方側の予備回線と他方側の予備回線のうち、前記バイパス伝送路の対向側の伝送装置との間に存在する伝送装置の数が少ない側の予備回線へ接続するように前記伝送経路を切り替えることを特徴とする請求項１に記載の伝送装置。
【請求項６】
前記切替手段は、自身が前記バイパス伝送路を終端している伝送装置である場合には、前記バイパス伝送路の現用回線を、当該伝送装置及び前記バイパス伝送路の対向側の伝送装置の双方に共通する所定の基準に応じて選択される前記リング伝送路の一方側の予備回線及び他方側の予備回線のうちの一方に接続するように前記伝送経路を切り替えることを特徴とする請求項１に記載の伝送装置。
【請求項７】
ループ状のリング伝送路及び当該リング伝送路上の所定の二点をバイパスするバイパス伝送路を含む通信伝送路に設置される伝送装置における伝送経路の切替方法であって、
前記バイパス伝送路を介して伝送されるべき信号の伝送経路の切替要求が発生しているか否かを判定する判定工程と、
前記切替要求が発生していると判定された場合に、前記バイパス伝送路を介して伝送されるべき前記信号が前記リング伝送路の少なくとも一部を介して伝送されるように、前記通信伝送路上における前記信号の伝送経路を切り替える切替工程と
を備え、
前記切替工程は、前記伝送装置が前記バイパス伝送路を終端している伝送装置である場合には、前記バイパス伝送路の現用回線を前記リング伝送路の予備回線へ接続するように前記伝送経路を切り替えることを特徴とする切替方法。
【発明の詳細な説明】
【技術分野】
【０００１】
本発明は、例えば信号の送信や受信を行う伝送装置、及び伝送装置による信号経路の伝送経路の切替方法に関し、より具体的には例えばバックボーン回線等の通信伝送路上での信号の送信や受信を行う伝送装置、及び伝送装置による信号の伝送経路の切替方法に関する。
【背景技術】
【０００２】
バックボーン回線等の通信伝送路又はその他の通信伝送路等に採用される通信規格として、ＳＤＨ（Ｓｙｎｃｈｒｏｎｏｕｓ  Ｄｉｇｉｔａｌ  Ｈｉｅｒａｒｃｈｙ）やＳＯＮＥＴ（Ｓｙｎｃｈｒｏｎｏｕｓ  Ｏｐｔｉｃａｌ  Ｎｅｔｗｏｒｋ）が採用されている。ＳＤＨやＳＯＮＥＴは、二つの伝送装置間に現用回線と予備回線とを設定し、現用回線において障害が発生した際に予備回線に切替を行なうことで、回線障害に対する迅速な対応を可能にするＡＰＳ（Ａｕｔｏｍａｔｉｃ  Ｐｒｏｔｅｃｔｉｏｎ  Ｓｗｉｔｃｈ）機能を備える。このようなＡＰＳ機能をリング状のリング伝送路上で実現する構成として、「ＢＬＳＲ（Ｂｉｄｉｒｅｃｔｉｏｎａｌ  Ｌｉｎｅ  Ｓｗｉｔｃｈ  Ｒｉｎｇ）」と呼ばれる構成がある。
【先行技術文献】
【特許文献】
【０００３】
【特許文献１】特開平１０−１１７１７５号公報
【特許文献２】特開平１０−２３３３７５号公報
【特許文献３】特開昭５７−０９７７５３号公報
【特許文献４】特開平１０−２３４００７号公報
【発明の概要】
【発明が解決しようとする課題】
【０００４】
一方で、リング伝送路に対して、リング伝送路上の所定の２点間をバイパスするバイパス伝送路が設けられることもある。従って、安定的な信号の伝送を行うためには、バイパス伝送路に対しても高い信頼性を持たせることが好ましいと考えられる。しかしながら、現在のＢＬＳＲは、リング伝送路上の信号の伝送経路の切り替えを規定しているに過ぎない。このため、現在のＢＬＳＲでは、バイパス伝送路上の信号の伝送経路の切り替えを行うことができない。従って、バイパス伝送路の信頼性を高めるためには、バイパス伝送路そのものの予備回線を敷設する必要がある。つまり、現用回線用のバイパス伝送路及び予備回線用のバイパス伝送路の双方を敷設する必要がある。しかしながら、２本のバイパス伝送路を敷設することは、コストの増大につながってしまいかねない。
【０００５】
本発明が解決しようとする課題には上記のようなものが一例として挙げられる。本発明は、例えばリング伝送路に対して設置されたバイパス伝送路の冗長性を低コストで確保することが可能な伝送装置、及び伝送経路の切替方法を提供することを目的とする。
【課題を解決するための手段】
【０００６】
上記課題は、判定手段と切替手段とを備える伝送装置によって解決される。伝送装置は、ループ状のリング伝送路及び当該リング伝送路上の所定の二点をバイパスするバイパス伝送路を含む通信伝送路に設置される伝送装置である。判定手段は、バイパス伝送路を介して伝送されるべき信号の伝送経路の切替要求が発生しているか否かを判定する。切替要求は、伝送装置自身が行ってもよい（例えば、伝送装置自身がバイパス伝送路の障害を検出することで切替要求を行ってもよい）。或いは、切替要求は、他の伝送装置によって行われてもよい（例えば、他の伝送装置がバイパス伝送路の障害を検出することで作成する切替要求の通知を受けてもよい）。切替手段は、バイパス伝送路を介して伝送されるべき信号がリング伝送路の少なくとも一部を介して伝送されるように、通信伝送路上における信号の伝送経路を切り替える。このような伝送経路の切り替えは、判定手段によって、バイパス伝送路を介して伝送されるべき信号の伝送経路の切替要求が発生していると判定される場合に行われることが好ましい。
【０００７】
上記課題は、判定工程と切替工程とを備える伝送経路の切替方法によって解決される。判定工程では、上述した判定手段が行う動作と同様の動作が行われる。切替工程では、上述した切替手段が行う動作と同様の動作が行われる。
【発明の効果】
【０００８】
以上説明した伝送装置によれば、例えばバイパス伝送路に障害が発生した場合等には、バイパス伝送路を介して伝送されるべき信号が、リング伝送路の少なくとも一部を介して伝送される。言い換えれば、伝送装置によれば、バイパス伝送路を介した伝送経路を救済するために、リング伝送路を用いることができる。このため、バイパス伝送路そのものの予備回線を別途敷設しなくとも、バイパス伝送路を介して伝送されるべき信号に対する高い信頼性を確保することができる。従って、バイパス伝送路そのものの予備回線を別途敷設することに起因したコストの増大をまねくことなく、通信伝送路の信頼性を好適に確保することができる。
【０００９】
以上説明した伝送経路の切替方法によれば、上述した伝送装置が享受する効果と同様の効果を享受することができる。
【図面の簡単な説明】
【００１０】
【図１】本実施形態の伝送システムの構成の一例を示すブロック図である。
【図２】本実施形態の伝送装置の構成の一例を示すブロック図である。
【図３】本実施形態の伝送装置による現用回線の接続態様の一例を示すブロック図である。
【図４】本実施形態の伝送装置による予備回線の接続態様の一例を示すブロック図である。
【図５】本実施形態の伝送装置によるトポロジ・バイパス情報の作成動作の流れを示すフローチャートである。
【図６】トポロジ・バイパス情報の一例を示すデータ構造図である。
【図７】本実施形態の伝送装置によるＡＰＳ情報の作成動作の流れを示すフローチャートである。
【図８】本実施形態の伝送装置による伝送経路の切替動作の流れを示すフローチャートである。
【図９】第１具体例における伝送経路の切替動作前の伝送システムの状態を示す模式図である。
【図１０】第１具体例における伝送経路の切替動作によって作成されるＡＰＳ情報及びトポロジ・バイパス情報を示すデータ構造図である。
【図１１】第１具体例における伝送経路の切替動作前の伝送システム１の状態を示す模式図である。
【図１２】第２具体例における伝送経路の切替動作前の伝送システムの状態を示す模式図である。
【図１３】第２具体例における伝送経路の切替動作によって作成されるＡＰＳ情報及びトポロジ・バイパス情報を示すデータ構造図である。
【図１４】第２具体例における伝送経路の切替動作前の伝送システム１の状態を示す模式図である。
【図１５】第３具体例における伝送経路の切替動作前の伝送システムの状態を示す模式図である。
【図１６】第３具体例における伝送経路の切替動作によって作成されるＡＰＳ情報及びトポロジ・バイパス情報を示すデータ構造図である。
【図１７】第３具体例における伝送経路の切替動作前の伝送システム１の状態を示す模式図である。
【発明を実施するための最良の形態】
【００１１】
以下、本発明を実施するための最良の形態を、図面に基づいて説明する。
【００１２】
（１）伝送システムの構成
図１を参照して、本実施形態の伝送システム１の構成について説明する。ここに、図１は、本実施形態の伝送システム１の構成の一例を示すブロック図である。
【００１３】
図１に示すように、本実施形態の伝送システム１は、複数の伝送装置１０と、リング伝送路２０と、バイパス伝送路３０とを備えている。このような伝送システム１として、例えばＳＤＨ（Ｓｙｎｃｈｒｏｎｏｕｓ  Ｄｉｇｉｔａｌ  Ｈｉｅｒａｒｃｈｙ）やＳＯＮＥＴ（Ｓｙｎｃｈｒｏｎｏｕｓ  Ｏｐｔｉｃａｌ  Ｎｅｔｗｏｒｋ）に準拠した伝送システムが一例としてあげられる。
【００１４】
複数の伝送装置１０は、リング伝送路２０を介して相互に接続されている。言い換えれば、複数の伝送装置２０の夫々は、リング伝送路２０上の任意の地点に配置されている。また、複数の伝送装置１０のうちの任意の二つの伝送装置１０は、バイパス伝送路３０を介して相互に接続されている。これにより、複数の伝送装置１０の夫々は、リング伝送路２０及びバイパス伝送路３０の少なくとも一方を用いて、他の伝送装置１０との間での所定の信号の送受信を行うことができる。
【００１５】
リング伝送路２０は、複数の伝送装置１０間での信号の送受信を行うための伝送路であり、リングネットワークを構成している。リング伝送路２０は、例えば光ファイバ等を含んでいる。また、リング伝送路２０は、その帯域のうちの一部が現用回線２１として利用され、その帯域のうちの他部が予備回線２２として使用される。
【００１６】
バイパス伝送路３０は、複数の伝送装置１０のうちの任意の二つの伝送装置１０間での信号の送受信を行うための伝送路である。言い換えれば、バイパス伝送路３０は、リング伝送路２０上の任意の二点をバイパスする伝送路である。バイパス伝送路３０は、例えば光ファイバ等を含んでいる。尚、本実施形態では、バイパス伝送路３０は、その帯域の全てが現用回線として使用されることが好ましい。つまり、本実施形態では、バイパス伝送路３０の予備回線を構成する新たな伝送路は設けられていなくともよい。
【００１７】
（２）伝送装置の構成
続いて、図２を参照して、本実施形態の伝送装置１０の構成について説明する。ここに、図２は、本実施形態の伝送装置１０の構成の一例を示すブロック図である。
【００１８】
図２に示すように、伝送装置１０は、バイパス側信号送受信部１０１と、終端側信号送受信部１０２と、イースト（ＥＡＳＴ）側信号送受信部１０３と、ウエスト（ＷＥＳＴ）側信号送受信部１０４と、オーバーヘッド信号受信部１１１と、ＡＰＳ（Automatic Protection Switch）情報管理部１１２と、トポロジ・バイパス情報管理部１１３と、障害検出部１２１と、ＡＰＳ情報作成部１２２と、「判定手段」及び「切替手段」の一具体例に相当する救済ルート判定部１３０と、現用回線接続部１４０と、予備回線接続部１５０とを備えている。
【００１９】
バイパス側信号送受信部１０１は、伝送装置１０からバイパス伝送路３０に対する信号の送受信を行う。
【００２０】
終端側信号送受信部１０２は、伝送装置１０から当該伝送装置１０に接続された不図示の終端装置に対する信号の送受信を行う。
【００２１】
イースト側信号送受信部１０３は、伝送装置１０から当該伝送装置１０のイースト側（言い換えれば、一方側）に接続された他の伝送装置１０に対する信号の送受信を行う。
【００２２】
ウエスト側信号送受信部１０４は、伝送装置１０から当該伝送装置１０のウエスト側（言い換えれば、他方側）に接続された他の伝送装置１０に対する信号の送受信を行う。
【００２３】
オーバーヘッド信号受信部１１１は、イースト側信号送受信部１０３又はウエスト側信号送受信部１０４により受信された信号（例えば、ＳＴＭ（Ｓｙｎｃｈｒｏｎｏｕｓ  Ｔｒａｎｓｐｏｒｔ  Ｍｏｄｕｌｅ）やＳＴＳ（Ｓｙｎｃｈｒｏｎｏｕｓ  Ｔｒａｎｓｐｏｒｔ  Ｓｉｇｎａｌ）等のフレーム）に含まれるオーバーヘッド信号を抽出する。
【００２４】
ＡＰＳ情報管理部１１２は、オーバーヘッド信号受信部１１１により抽出されるオーバーヘッド信号に含まれるＡＰＳ情報を抽出する。また、ＡＰＳ情報管理部１１２は、抽出したＡＰＳ情報を不図示のメモリ等に格納することで管理する。尚、ＡＰＳ情報は、例えばＳＤＨないしはＳＯＮＥＴにおけるＫ１バイト及びＫ２バイトと同様のデータ構造を有している。
【００２５】
トポロジ・バイパス情報管理部１１３は、オーバーヘッド信号受信部１１１により抽出されるオーバーヘッド信号に含まれるトポロジ・バイパス情報を抽出する。また、トポロジ・バイパス情報管理部１１３は、抽出したトポロジ・バイパス情報を不図示のメモリ等に格納することで管理する。尚、トポロジ・バイパス情報については、後に詳述する（図５及び図６参照）。
【００２６】
障害検出部１２１は、リング伝送路２０又はバイパス伝送路３０上に障害が発生したか否かを検出する。
【００２７】
ＡＰＳ情報作成部１２２は、障害検出部１２１により検出された障害に基づいて、ＡＰＳ情報を作成する。また、ＡＰＳ情報作成部１２２は、作成したＡＰＳ情報を、イースト側信号送受信部１０３又はウエスト側信号送受信部１０４を介して他の伝送装置１０に対して通知する。
【００２８】
救済ルート判定部１３０は、障害検出部１２２により障害が検出された場合又はＡＰＳ情報管理部１１２によって抽出されたＡＰＳ情報が伝送経路の切替を要求している場合に、ＡＰＳ情報管理部１１２によって管理されているＡＰＳ情報及びトポロジ・バイパス情報管理部１１３によって管理されているトポロジ・バイパス情報に基づいて、伝送経路の切替を行う。
【００２９】
現用回線接続部１４０は、リング伝送路２０における現用回線２１と伝送装置１０との接続を制御する。
【００３０】
予備回線接続部１５０は、リング伝送路２０における予備回線２１と伝送装置１０との接続を制御する。
【００３１】
（３）回線接続の態様
続いて、図３及び図４を参照して、本実施形態の伝送装置１０による現用回線２１及び予備回線２２の接続態様の一例について説明する。ここに、図３は、本実施形態の伝送装置１０による現用回線２１の接続態様の一例を示すブロック図であり、図４は、本実施形態の伝送装置１０による予備回線２２の接続態様の一例を示すブロック図である。
【００３２】
図３に示すように、伝送装置１０がリング伝送路２０の現用回線２１を用いて信号の伝送を行う場合には、現用回線接続部１４０を介して、バイパス側（つまり、バイパス伝送路３０側）からの信号、終端側（つまり、当該伝送装置に接続された不図示の終端装置側）からの信号、イースト側（つまり、リング伝送路２０のイースト側）からの信号及びウエスト側（つまり、リング伝送路２０のウエスト側）からの信号が挿入（ＡＤＤ）、分岐（ＤＲＯＰ）又は通過（ＴＨＲＵ）される。尚、図３中の矢印線は、信号の伝送経路を示している。このような信号の挿入、分岐又は通過は、例えば、バイパス側、終端側、イースト側及びウエスト側の夫々の現用回線に対応するように現用回線接続部１４０が備える複数の信号選択部１４１における信号選択動作により行われる。また、信号の送受信（つまり、信号の挿入、分岐又は通過）を行うための現用回線部１４０及び予備回線接続部１５０の選択動作は、伝送装置１０がバイパス側に備える信号選択部１０５における信号選択動作や、伝送装置１０が終端側に備える信号選択部１０６における信号選択動作や、伝送装置１０がイースト側に備える信号選択部１０７における信号選択動作や、伝送装置１０がウエスト側に備える信号選択部１０８における信号選択動作により行われる。
【００３３】
同様に、図４に示すように、伝送装置１０がリング伝送路２０の予備回線２２を用いて信号の伝送を行う場合には、予備回線接続部１５０を介して、バイパス側からの信号、終端側からの信号、イースト側からの信号及びウエスト側からの信号が挿入、分岐又は通過される。尚、図４中の矢印線は、信号の伝送経路を示している。このような信号の挿入、分岐又は通過は、例えば、バイパス側、終端側、イースト側及びウエスト側の夫々の現用回線並びにイースト側及びウエスト側の夫々の予備回線に対応するように予備回線接続部１５０が備える複数の信号選択部１５１における信号選択動作により行われる。
【００３４】
（４）動作例
続いて、図５から図８を参照して、本実施形態の伝送装置１０の動作例について説明する。
【００３５】
（４−１）トポロジ・バイパス情報の作成動作
初めに、図５を参照して、本実施形態の伝送装置１０によるトポロジ・バイパス情報の作成動作について説明する。ここに、図５は、本実施形態の伝送装置１０によるトポロジ・バイパス情報の作成動作の流れを示すフローチャートである。
【００３６】
図５に示すように、トポロジ・バイパス情報管理部１１３は、イースト側（又は、ウエスト側）に位置する他の伝送装置１０から、トポロジ・バイパス情報が通知されているか否かを判定する（ステップＳ１０１）。つまり、トポロジ・バイパス情報管理部１１３は、イースト側（又は、ウエスト側）に位置する他の伝送装置１０から送信される信号のオーバーヘッドにトポロジ・バイパス情報が含まれているか否かを判定する。
【００３７】
ステップＳ１０１における判定の結果、トポロジ・バイパス情報が通知されていないと判定された場合には（ステップＳ１０１：Ｎｏ）、まだどの伝送装置１０もトポロジ・バイパス情報の生成動作を開始していないと想定される。従って、自身がトポロジ・バイパス情報の生成の開始トリガとなるべく、トポロジ・バイパス情報管理部１１３は、自身の装置ＩＤをトポロジ部に含むトポロジ・バイパス情報を新たに作成する（ステップＳ１０６）。このとき、トポロジ・バイパス情報管理部１１３は、自身がバイパス伝送路３０を終端する伝送装置１０である場合には、トポロジ部に含めた装置ＩＤに対応付けて、バイパス伝送路３０の対向側の伝送装置１０の装置ＩＤをバイパス部に含むトポロジ・バイパス情報を作成する。
【００３８】
続いて、トポロジ・バイパス情報管理部１１３は、ウエスト側信号送受信部１０４（又は、イースト側信号送受信部１０３）を介して、作成したトポロジ・バイパス情報をウエスト側（又は、イースト側）の伝送装置１０に対して通知する（ステップＳ１０６）。
【００３９】
他方で、ステップＳ１０１における判定の結果、トポロジ・バイパス情報が通知されていると判定された場合には（ステップＳ１０１：Ｙｅｓ）、続いて、トポロジ・バイパス情報管理部１１３は、通知されているトポロジ・バイパス情報中に自身の装置ＩＤを含むトポロジ部が含まれているか否かを判定する（ステップＳ１０２）。
【００４０】
ステップＳ１０２における判定の結果、通知されているトポロジ・バイパス情報中に自身の装置ＩＤを含むトポロジ部が含まれていないと判定された場合には（ステップＳ１０２：Ｎｏ）、他の伝送装置１０によってトポロジ・バイパス情報の作成が開始されたものの自身の情報がまだ追加されていないと想定される。従って、トポロジ・バイパス情報管理部１１３は、自身の装置ＩＤを、通知されているトポロジ・バイパス情報中のトポロジ部に対して新たに追加する（ステップＳ１０３）。このとき、トポロジ・バイパス情報管理部１１３は、自身がバイパス伝送路３０を終端する伝送装置１０である場合には、トポロジ部に追加した装置ＩＤに対応付けて、バイパス伝送路３０の対向側の伝送装置１０の装置ＩＤをバイパス部に対して新たに追加する。その後、トポロジ・バイパス情報管理部１１３は、ウエスト側信号送受信部１０４（又は、イースト側信号送受信部１０３）を介して、作成したトポロジ・バイパス情報をウエスト側（又は、イースト側）の伝送装置１０に対して通知する（ステップＳ１０３）。
【００４１】
他方で、ステップＳ１０２における判定の結果、通知されているトポロジ・バイパス情報中に自身の装置ＩＤを含むトポロジ部が含まれていると判定された場合には（ステップＳ１０２：Ｙｅｓ）、既に自身の情報が追加されたトポロジ・バイパス情報（いわば、全ての伝送装置１０の情報を反映したトポロジ・バイパス情報）がリング伝送路２０上を伝送されていると想定される。従って、トポロジ・バイパス情報管理部１１３は、通知されたトポロジ・バイパス情報を抽出すると共に管理する（ステップＳ１０４）。また、トポロジ・バイパス情報管理部１１３は、ウエスト側信号送受信部１０４（又は、イースト側信号送受信部１０３）を介して、通知されたトポロジ・バイパス情報をウエスト側（イースト側）の伝送装置１０に対してそのまま通知する（ステップＳ１０５）。尚、ステップＳ１０４の段階で伝送装置１０自身の接続態様に変化があった場合には、通知されたトポロジ・バイパス情報に対して接続態様の変更を反映させてもよい。この場合、ステップＳ１０５では、接続態様の変更を反映させたトポロジ・バイパス情報を、ウエスト側（又は、イースト側）の伝送装置１０に対して通知することが好ましい。
【００４２】
以上説明したトポロジ・バイパス情報の生成動作について、図６に示す具体例を用いてより具体的に説明する。ここに、図６は、トポロジ・バイパス情報の一例を示すデータ構造図である。
【００４３】
図６（ａ）に示すように、装置ＩＤが「１」ないしは「８」となる８台の伝送装置１０がリング伝送路２０上に設けられると共に、装置ＩＤが「３」又は「７」となる２台の電装装置１０がバイパス伝送路３０を終端する伝送システム１を例にあげる。
【００４４】
ここで、装置ＩＤが「２」となる伝送装置１０（以降、装置ＩＤが「Ｘ」となる伝送装置１０を、適宜“伝送装置１０＃Ｘ”と称して説明を進める）が、トポロジ・バイパス情報の生成の開始トリガとなるものとする。この場合、伝送装置１０＃２が備えるトポロジ・バイパス情報管理部１１３は、図６（ｂ）の最上部に示すように、自身の装置ＩＤ「２」をトポロジ部に含むトポロジ・バイパス情報を新たに生成する。また、伝送装置１０＃２がバイパス伝送路３０を終端していないため、伝送装置１０＃２が備えるトポロジ・バイパス情報管理部１１３は、図６（ｂ）の最上部に示すように、トポロジ部に含めた装置ＩＤ「２」に対応するバイパス部は空欄（或いは、Ｎｕｌｌ）に設定する。その後、伝送装置１０＃２が備えるトポロジ・バイパス情報管理部１１３は、図６（ｂ）の最上部に示すトポロジ・バイパス情報を、ウエスト側の伝送装置１０＃３に対して通知する。
【００４５】
続いて、伝送装置１０＃３が備えるトポロジ・バイパス情報管理部１１３は、図６（ｂ）の第２段目に示すように、自身の装置ＩＤ「３」を、伝送装置１０＃２より通知されたトポロジ・バイパス情報中のトポロジ部に対して新たに追加する。また、伝送装置１０＃３がバイパス伝送路３０を終端しているため、伝送装置１０＃３が備えるトポロジ・バイパス情報管理部１１３は、図６（ｂ）の第２段目に示すように、トポロジ部に含めた装置ＩＤ「３」に対応するバイパス部に対して、バイパス伝送路３０の対向側の伝送装置１０＃７の装置ＩＤ「７」を追加する。その後、伝送装置１０＃３が備えるトポロジ・バイパス情報管理部１１３は、図６（ｂ）の第２段目に示すトポロジ・バイパス情報を、ウエスト側の伝送装置１０＃４に対して通知する。
【００４６】
以上のような動作が、伝送装置１０＃４から伝送装置１０＃８及び伝送装置１０＃１によっても行われる。その結果、トポロジ・バイパス情報の生成の開始トリガとなった伝送装置１０＃２には、図６（ｂ）の最下部に示すトポロジ・バイパス情報が通知されてくる。従って、伝送装置１０＃２が備えるトポロジ・バイパス情報管理部１１３は、図６（ｂ）の最下部に示すトポロジ・バイパス情報を抽出及び管理する。
【００４７】
尚、トポロジ・バイパス情報中のトポロジ部には、リング伝送路２０上に設けられる伝送装置１０の装置ＩＤが、リング伝送路２０上に設けられた順に配列されている。また、トポロジ・バイパス情報中のトポロジ部の先頭部分には、当該トポロジ・バイパス情報を抽出及び管理する伝送装置１０の装置ＩＤが格納される。例えば、図６（ｂ）の最下部に示すように、伝送装置１０＃２が抽出及び管理するトポロジ・バイパス情報中のトポロジ部の先頭部分には、当該トポロジ・バイパス情報を抽出及び管理する伝送装置１０＃２の装置ＩＤ「２」が格納される。同様に、図６（ｃ）に示すように、伝送装置１０＃１が抽出及び管理するトポロジ・バイパス情報中のトポロジ部の先頭部分には、当該トポロジ・バイパス情報を抽出及び管理する伝送装置１０＃１の装置ＩＤ「１」が格納される。
【００４８】
（４−２）ＡＰＳ情報の生成・送信動作
続いて、図７を参照して、本実施形態の伝送装置１０によるＡＰＳ情報の作成動作について説明する。ここに、図７は、本実施形態の伝送装置１０によるＡＰＳ情報の作成動作の流れを示すフローチャートである。
【００４９】
図７に示すように、障害検出部１２１は、リング伝送路２０又はバイパス伝送路３０における障害を検出したか否かを判定する（ステップＳ２０１）。言い換えれば、伝送装置１０は、伝送装置１０自身がリング伝送路２０又はバイパス伝送路３０における障害を検出したか否かを判定する。
【００５０】
ステップＳ２０１における判定の結果、障害検出部１２１が障害を検出したと判定された場合には（ステップＳ２０１：Ｙｅｓ）、続いて、ＡＰＳ情報作成部１２２は、これまでに他の伝送装置１０から受信していたＡＰＳ情報の優先度と比較して、ステップＳ２０１において検出された障害の優先度が高いか否かを判定する（ステップＳ２０２）。尚、この判定は、例えば、ステップＳ２０１において検出された障害の種別と、ＡＰＳ情報に含まれる切替要求の種別（例えば、ＳＦ（Signal Failure）やＳＤ（Signal Deterioration）等）とを比較することで行われる。
【００５１】
ステップＳ２０２における判定の結果、ステップＳ２０１において検出された障害の優先度が高いと判定された場合には（ステップＳ２０２：Ｙｅｓ）、続いて、障害検出部１２１は、ステップＳ２０１において検出された障害が、バイパス伝送路３０における障害であるか否かを判定する（ステップＳ２０３）。尚、ステップＳ２０３の判定は、伝送装置１０自身が障害を検出した場合に行われ、且つ、伝送装置１０は、自身がバイパス伝送路１０を終端しているか否かを認識している。従って、ステップＳ２０３の判定動作は、特段の特別な情報を必要とすることなく行われてもよい。
【００５２】
ステップＳ２０３における判定の結果、ステップＳ２０１において検出された障害が、バイパス伝送路３０における障害であると判定された場合には（ステップＳ２０３：Ｙｅｓ）、ＡＰＳ情報作成部１２２は、バイパス伝送路３０を終端する２つの伝送装置１０の装置ＩＤをソース（Source）及びデスティネーション（Destination）に設定したＡＰＳ情報を作成する（ステップＳ２０４）。その後、ＡＰＳ情報作成部１２２は、作成したＡＰＳ情報を、イースト側信号送受信部１０３又はウエスト側信号送受信部１０４を介して他の伝送装置１０に対して通知する（ステップＳ２０４）。その後、伝送装置１０は、動作を終了してもよいし、ステップＳ２０１以降の動作を繰り返してもよい。
【００５３】
他方で、ステップＳ２０３における判定の結果、ステップＳ２０１において検出された障害が、バイパス伝送路３０における障害でないと判定された場合には（ステップＳ２０３：Ｎｏ）、ＡＰＳ情報作成部１２２は、自身の装置ＩＤをソースに設定し且つ障害が検出されたリング伝送路２０を介して隣接する他の伝送装置１０の装置ＩＤをデスティネーションに設定したＡＰＳ情報を作成する（ステップＳ２０７）。その後、ＡＰＳ情報作成部１２２は、作成したＡＰＳ情報を、イースト側信号送受信部１０３又はウエスト側信号送受信部１０４を介して他の伝送装置１０に対して通知する（ステップＳ２０７）。その後、伝送装置１０は、動作を終了してもよいし、ステップＳ２０１以降の動作を繰り返してもよい。
【００５４】
他方で、ステップＳ２０２における判定の結果、ステップＳ２０１において検出された障害の優先度が高くないと判定された場合には（ステップＳ２０２：Ｎｏ）、ＡＰＳ情報作成部１２２は、これまでに受信したＡＰＳ情報（つまり、今回検出された障害よりも優先度が高い既存のＡＰＳ情報）を、イースト側信号送受信部１０３又はウエスト側信号送受信部１０４を介して他の伝送装置１０に対して通知する（ステップＳ２０６）。その後、伝送装置１０は、動作を終了してもよいし、ステップＳ２０１以降の動作を繰り返してもよい。
【００５５】
他方で、ステップＳ２０１における判定の結果、障害検出部１２１が障害を検出していないと判定された場合には（ステップＳ２０１：Ｎｏ）、続いて、ＡＰＳ情報作成部１２２は、伝送装置１０自身によって要求されている伝送経路の切替要求（言い換えれば、障害の発生とは別に自発的に要求されている伝送経路の切替要求）の優先度と比較して、これまでに他の伝送装置１０から受信していたＡＰＳ情報の優先度が高いか否かを判定する（ステップＳ２０５）。尚、ステップＳ２０５における判定は、伝送装置１０自身によって要求されている伝送経路の切替要求がなされていない場合には行われなくともよい。
【００５６】
ステップＳ２０５における判定の結果、これまでに他の伝送装置１０から受信していたＡＰＳ情報の優先度が高いと判定された場合には（ステップＳ２０５：Ｙｅｓ）、ＡＰＳ情報作成部１２２は、これまでに受信したＡＰＳ情報（つまり、今回伝送装置１０自身によって要求されている切替要求よりも優先度が高い既存のＡＰＳ情報）を、イースト側信号送受信部１０３又はウエスト側信号送受信部１０４を介して他の伝送装置１０に対して通知する（ステップＳ２０６）。その後、伝送装置１０は、動作を終了してもよいし、ステップＳ２０１以降の動作を繰り返してもよい。
【００５７】
他方で、ステップＳ２０５における判定の結果、これまでに他の伝送装置１０から受信していたＡＰＳ情報の優先度が高くないと判定された場合には（ステップＳ２０５：Ｎｏ）、ＡＰＳ情報作成部１２２は、自身の装置ＩＤをソースに設定し且つ障害が検出されたリング伝送路２０を介して隣接する他の伝送装置の装置ＩＤをデスティネーションに設定したＡＰＳ情報を作成する（ステップＳ２０７）。その後、ＡＰＳ情報作成部１２２は、作成したＡＰＳ情報を、イースト側信号送受信部１０３又はウエスト側信号送受信部１０４を介して他の伝送装置１０に対して通知する（ステップＳ２０７）。その後、伝送装置１０は、動作を終了してもよいし、ステップＳ２０１以降の動作を繰り返してもよい。
【００５８】
（４−３）伝送経路の切替動作
続いて、図８を参照して、本実施形態の伝送装置１０による伝送経路の切替動作について説明する。ここに、図８は、本実施形態の伝送装置１０による伝送経路の切替動作の流れを示すフローチャートである。
【００５９】
図８に示すように、障害検出部１２１は、リング伝送路２０又はバイパス伝送路３０における障害を検出したか否かを判定する（ステップＳ３０１）。言い換えれば、伝送装置１０は、伝送装置１０自身がリング伝送路２０又はバイパス伝送路３０における障害を検出したか否かを判定する。
【００６０】
ステップＳ３０１における判定の結果、障害検出部１２１が障害を検出したと判定された場合には（ステップＳ３０１：Ｙｅｓ）、続いて、ＡＰＳ情報作成部１２２は、これまでに他の伝送装置１０から受信していたＡＰＳ情報の優先度と比較して、ステップＳ３０１において検出された障害の優先度が高いか否かを判定する（ステップＳ３０２）。尚、この判定は、例えば、ステップＳ２０１において検出された障害の種別と、ＡＰＳ情報に含まれる切替要求の種別（例えば、ＳＦ（Signal Failure）やＳＤ（Signal Deterioration）等）とを比較することで行われる。
【００６１】
ステップＳ３０２における判定の結果、ステップＳ３０１において検出された障害の優先度が高いと判定された場合には（ステップＳ３０２：Ｙｅｓ）、続いて、救済ルート判定部１３０は、伝送装置１０自身がバイパス伝送路３０を終端しているか否かを判定する（ステップＳ３０３）。尚、ステップＳ３０３の判定は、伝送装置１０自身が障害を検出した場合に行われ、且つ、伝送装置１０は、自身がバイパス伝送路１０を終端しているか否かを認識している。従って、ステップＳ３０３の判定動作は、特段の特別な情報を必要とすることなく行われてもよい。或いは、ステップＳ３０３の判定は、トポロジ・バイパス情報管理部１１３が管理しているトポロジ・バイパス情報中のバイパス情報に、伝送装置１０自身の装置ＩＤが含まれているか否かに基づいて行われてもよい。この場合、トポロジ・バイパス情報中のバイパス情報に伝送装置１０自身の装置ＩＤが含まれている場合には、伝送装置１０自身がバイパス伝送路３０を終端していると判定される。
【００６２】
ステップＳ３０３における判定の結果、伝送装置１０自身がバイパス伝送路３０を終端していると判定された場合には（ステップＳ３０３：Ｙｅｓ）、続いて、救済ルート判定部１３０は、ステップＳ３０１において検出された障害が、バイパス伝送路３０における障害であるか否かを判定する（ステップＳ３０４）。尚、ステップＳ３０４の判定は、伝送装置１０自身が障害を検出した場合に行われ、且つ、伝送装置１０は、自身がバイパス伝送路１０を終端しているか否かを認識している。従って、ステップＳ３０４の判定動作は、特段の特別な情報を必要とすることなく行われてもよい。
【００６３】
ステップＳ３０４における判定の結果、ステップＳ３０１において検出された障害がバイパス伝送路３０における障害であると判定された場合には（ステップＳ３０４：Ｙｅｓ）、伝送装置１０自身が終端しているバイパス伝送路３０において障害が発生していると想定される。この場合、救済ルート判定部１３０は、伝送装置１０自身とバイパス伝送路３０を介して対向する他の伝送装置１０との間のリング伝送路２０上に存在する伝送装置１０の数が、イースト側及びウエスト側で同一であるか否かを判定する（ステップＳ３０５）。
【００６４】
ステップＳ３０５における判定の結果、伝送装置１０自身とバイパス伝送路３０を介して対向する他の伝送装置１０との間のリング伝送路２０上に存在する伝送装置１０の数が、イースト側及びウエスト側で同一でないと判定された場合には（ステップＳ３０５：Ｎｏ）、救済ルート判定部１３０は、バイパス側の現用回線を、イースト側及びウエスト側のうちバイパス伝送路３０を介して対向する他の伝送装置１０との間のリング伝送路２０上に存在する伝送装置１０の数が少ない側のリング伝送路２０の予備回線２２に接続するように現用回線接続部１４０及び予備回線接続部１５０を制御する（ステップＳ３０６）。その後、伝送装置１０は、動作を終了してもよいし、ステップＳ３０１以降の動作を繰り返してもよい。
【００６５】
他方で、ステップＳ３０５における判定の結果、伝送装置１０自身とバイパス伝送路３０を介して対向する他の伝送装置１０との間のリング伝送路２０上に存在する伝送装置１０の数が、イースト側及びウエスト側で同一であると判定された場合には（ステップＳ３０５：Ｙｅｓ）、救済ルート判定部１３０は、伝送装置１０自身の装置ＩＤとバイパス伝送路３０を介して対向する他の伝送装置１０の装置ＩＤとを比較する。比較の結果、伝送装置１０自身の装置ＩＤがバイパス伝送路３０を介して対向する他の伝送装置１０の装置ＩＤよりも小さい場合には、救済ルート判定部１３０は、バイパス側の現用回線を、ウエスト側のリング伝送路２０の予備回線２２に接続するように現用回線接続部１４０及び予備回線接続部１５０を制御する（ステップＳ３０７）。一方で、伝送装置１０自身の装置ＩＤがバイパス伝送路３０を介して対向する他の伝送装置１０の装置ＩＤよりも小さくない場合には、救済ルート判定部１３０は、バイパス側の現用回線を、イースト側のリング伝送路２０の予備回線２２に接続するように現用回線接続部１４０及び予備回線接続部１５０を制御する（ステップＳ３０７）。その後、伝送装置１０は、動作を終了してもよいし、ステップＳ３０１以降の動作を繰り返してもよい。
【００６６】
他方で、ステップＳ３０４における判定の結果、ステップＳ３０１において検出された障害がバイパス伝送路３０における障害でないと判定された場合には（ステップＳ３０４：Ｎｏ）、伝送装置１０自身が終端しているリング伝送路２０において障害が発生していると想定される。従って、救済ルート判定部１３０は、既存のＢＬＳＲ（Ｂｉｄｉｒｅｃｔｉｏｎａｌ  Ｌｉｎｅ  Ｓｗｉｔｃｈ  Ｒｉｎｇ）と同様の手法で伝送経路を切り替える。具体的には、救済ルート判定部１３０は、イースト側及びウエスト側のうち障害が発生している側のリング伝送路２０の現用回線２１を、イースト側及びウエスト側のうち障害が発生していない側（つまり、逆側）のリング伝送路２０の予備回線２２に接続するように現用回線接続部１４０及び予備回線接続部１５０を制御する（ステップＳ３１１）。その後、伝送装置１０は、動作を終了してもよいし、ステップＳ３０１以降の動作を繰り返してもよい。
【００６７】
他方で、ステップＳ３０３における判定の結果、伝送装置１０自身がバイパス伝送路３０を終端していないと判定された場合には（ステップＳ３０３：Ｎｏ）、伝送装置１０自身が終端しているリング伝送路２０において障害が発生していると想定される。従って、救済ルート判定部１３０は、既存のＢＬＳＲ（Ｂｉｄｉｒｅｃｔｉｏｎａｌ  Ｌｉｎｅ  Ｓｗｉｔｃｈ  Ｒｉｎｇ）と同様の手法で伝送経路を切り替える（ステップＳ３１１）。その後、伝送装置１０は、動作を終了してもよいし、ステップＳ３０１以降の動作を繰り返してもよい。
【００６８】
他方で、ステップＳ３０２における判定の結果、ステップＳ３０１において検出された障害の優先度が高くないと判定された場合には（ステップＳ３０２：Ｎｏ）、伝送装置１０は、伝送経路を切り替えることなく動作を終了する。或いは、伝送装置１０は、伝送経路を切り替えることなく、ステップＳ３０１以降の動作を繰り返してもよい。
【００６９】
他方で、ステップＳ３０１における判定の結果、障害検出部１２１が障害を検出していないと判定された場合には（ステップＳ３０１：Ｎｏ）、続いて、ＡＰＳ情報作成部１２２は、伝送装置１０自身によって要求されている伝送経路の切替要求（言い換えれば、障害の発生とは別に自発的に要求されている伝送経路の切替要求）の優先度と比較して、これまでに他の伝送装置１０から受信していたＡＰＳ情報の優先度が高いか否かを判定する（ステップＳ３０８）。尚、ステップＳ３０８における判定は、伝送装置１０自身によって要求されている伝送経路の切替要求がなされていない場合には行われなくともよい。
【００７０】
ステップＳ３０８における判定の結果、これまでに他の伝送装置１０から受信していたＡＰＳ情報の優先度が高いと判定された場合には（ステップＳ３０８：Ｙｅｓ）、救済ルート判定部１３０は、ＡＰＳ情報（つまり、今回伝送装置１０自身によって要求されている切替要求よりも優先度が高い既存のＡＰＳ情報）に、伝送装置１０自身の装置ＩＤが含まれているか否かを判定する（ステップＳ３０９）。
【００７１】
ステップＳ３０９における判定の結果、ＡＰＳ情報に伝送装置１０自身の装置ＩＤが含まれていると判定された場合には（ステップＳ３０９：Ｙｅｓ）、続いて、救済ルート判定部１３０は、ＡＰＳ情報に、バイパス伝送路３０を終端している伝送装置３０の装置ＩＤが含まれているか否かを判定する（ステップＳ３１０）。ステップＳ３１０の判定は、例えば、ＡＰＳ情報に含まれている装置ＩＤとトポロジ・バイパス情報管理部１１３が管理しているトポロジ・バイパス情報中のバイパス情報に含まれている装置ＩＤとを比較することによって行われる。この場合、ＡＰＳ情報に含まれている装置ＩＤとトポロジ・バイパス情報中のバイパス情報に含まれている装置ＩＤとが一致する場合には、ＡＰＳ情報にバイパス伝送路３０を終端している伝送装置３０の装置ＩＤが含まれていると判定される。
【００７２】
ステップＳ３１０における判定の結果、ＡＰＳ情報にバイパス伝送路３０を終端している伝送装置１０の装置ＩＤが含まれていると判定された場合には（ステップＳ３１０：Ｙｅｓ）、伝送装置１０自身が終端しているバイパス伝送路３０において障害が発生していると想定される。従って、救済ルート判定部１３０は、伝送装置１０自身とバイパス伝送路３０を介して対向する他の伝送装置１０との間のリング伝送路２０上に存在する伝送装置１０の数が、イースト側及びウエスト側で同一であるか否かを判定する（ステップＳ３０５）。その後、ステップＳ３０５における判定結果に応じて、救済ルート判定部１３０は、バイパス側の現用回線を、イースト側及びウエスト側のうちバイパス伝送路３０を介して対向する他の伝送装置１０との間のリング伝送路２０上に存在する伝送装置１０の数が少ない側のリング伝送路２０の予備回線２２に接続するように現用回線接続部１４０及び予備回線接続部１５０を制御する（ステップＳ３０６）。或いは、ステップＳ３０５における判定結果及びパイパス伝送路３０を介して対向する２つの伝送装置１０の装置ＩＤの大小関係に応じて、救済ルート判定部１３０は、バイパス側の現用回線を、イースト側及びウエスト側のうち何れか一方側のリング伝送路２０の予備回線２２に接続するように現用回線接続部１４０及び予備回線接続部１５０を制御する（ステップＳ３０７）。
【００７３】
他方で、ステップＳ３１０における判定の結果、ＡＰＳ情報にバイパス伝送路３０を終端している伝送装置３０の装置ＩＤが含まれていないと判定された場合には（ステップＳ３１０：Ｎｏ）、伝送装置１０自身が終端しているリング伝送路２０において障害が発生していると想定される。救済ルート判定部１３０は、既存のＢＬＳＲ（Ｂｉｄｉｒｅｃｔｉｏｎａｌ  Ｌｉｎｅ  Ｓｗｉｔｃｈ  Ｒｉｎｇ）と同様の手法で伝送経路を切り替える（ステップＳ３１１）。その後、伝送装置１０は、動作を終了してもよいし、ステップＳ３０１以降の動作を繰り返してもよい。
【００７４】
他方で、ステップＳ３０９における判定の結果、ＡＰＳ情報に伝送装置１０自身の装置ＩＤが含まれていないと判定された場合には（ステップＳ３０９：Ｎｏ）、他の伝送装置１０が終端しているリング伝送路２０において障害が発生していると想定される。従って、救済ルート判定部１３０は、既存のＢＬＳＲ（Ｂｉｄｉｒｅｃｔｉｏｎａｌ  Ｌｉｎｅ  Ｓｗｉｔｃｈ  Ｒｉｎｇ）と同様の手法で伝送経路を切り替える。具体的には、救済ルート判定部１３０は、イースト側のリング伝送路２０の予備回線２２とウエスト側のリング伝送路２０の予備回線２２とをスルー接続するように現用回線接続部１４０及び予備回線接続部１５０を制御する（ステップＳ３１２）。その後、伝送装置１０は、動作を終了してもよいし、ステップＳ３０１以降の動作を繰り返してもよい。
【００７５】
他方で、ステップＳ３０８における判定の結果、これまでに他の伝送装置１０から受信していたＡＰＳ情報の優先度が高くないと判定された場合には（ステップＳ３０８：Ｎｏ）、伝送装置１０は、伝送経路を切り替えることなく動作を終了する。或いは、伝送装置１０は、伝送経路を切り替えることなく、ステップＳ３０１以降の動作を繰り返してもよい。
【００７６】
（５）具体例
続いて、図９から図１７を参照して、上述した本実施形態の伝送装置１０による伝送経路の切替動作の具体例について説明する。
【００７７】
（５−１）第１具体例
初めに、図９から図１１を参照して、本実施形態の伝送装置１０による伝送経路の切替動作の第１具体例について説明する。ここに、図９は、第１具体例における伝送経路の切替動作前の伝送システム１の状態を示す模式図であり、図１０は、第１具体例における伝送経路の切替動作によって作成されるＡＰＳ情報及びトポロジ・バイパス情報を示すデータ構造図であり、図１１は、第１具体例における伝送経路の切替動作後の伝送システム１の状態を示す模式図である。
【００７８】
図９に示すように、伝送装置１０＃２、伝送装置１０＃３及び伝送装置１０＃７、並びにリング伝送路２０の現用回線２１及びバイパス伝送路３０を介して、伝送装置１０＃２に接続する不図示の終端装置と伝送装置１０＃７に接続する不図示の終端装置とが信号を送受信する例を用いて説明を進める。ここで、図９に示すように、バイパス伝送路３０に障害が発生し、且つ伝送装置１０＃３が当該障害を検出するものとする。尚、図９（更には、後述の同様の図面）において、「Ｗ」は現用回線（Ｗｏｒｋ）を示し、「Ｐ」は予備回線（Ｐｒｏｔｅｃｔｉｏｎ）を示すものとする。また、図９（更には、後述の同様の図面）において、相対的に太い双方向矢印線は、信号の流れを示している。
【００７９】
この場合、伝送装置１０＃３は、図７に示す動作例に従って、ＡＰＳ情報を作成する。具体的には、伝送装置１０＃３では、伝送装置１０＃３自身が障害を検出し（図７のステップＳ２０１：Ｙｅｓ）、検出された障害の優先度が高く（図７のステップＳ２０２：Ｙｅｓ）、且つ検出された障害がバイパス伝送路３０における障害である（図７のステップＳ２０３：Ｙｅｓ）という判定が行われる。従って、伝送装置１０＃３は、図１０（ａ）に示すように、バイパス伝送路３０を終端する一方の伝送装置１０＃３の装置ＩＤ「３」をソースに設定し且つバイパス伝送路３０を終端する他方の伝送装置１０＃７の装置ＩＤ「７」をデスティネーションに設定したＡＰＳ情報を作成する（図７のステップＳ２０４）。尚、ＡＰＳ情報は、ソース及びデスティネーションの他に、切替要求の種別を含んでいてもよい。図１０（ａ）に示す例では、切替要求の種別が「ＳＦ」である例を示している。
【００８０】
続いて、伝送装置１０＃３は、作成したＡＰＳ情報を、リング伝送路２０を介してイースト側の伝送装置１０＃４へ通知する。伝送装置１０＃４では、伝送装置１０＃４自身がバイパス伝送路３０における障害を検出しておらず（図７のステップＳ２０１：Ｎｏ）、且つ伝送装置１０＃３から受信したＡＰＳ情報の優先度が高い（図７のステップＳ２０５：Ｙｅｓ）という判定が行われる。従って、伝送装置１０＃４は、受信したＡＰＳ情報をイースト側の伝送装置１０＃５へと更に通知する。このような動作が、伝送装置１０＃１、１０＃２及び１０＃５から１０＃８によっても行われる。その結果、伝送装置１０＃１から１０＃８のいずれに対しても、図１０（ａ）に示すＡＰＳ情報が通知される。
【００８１】
また、図９に示す状態で伝送装置１０＃１から伝送装置１０＃８の夫々のトポロジ・バイパス情報管理部１１３によって管理されるトポロジ・バイパス情報は、図１０（ｂ）に示すとおりである。尚、図１０（ｂ）は、上から順に、伝送装置１０＃１から伝送装置１０＃８の夫々のトポロジ・バイパス情報管理部１１３によって管理されるトポロジ・バイパス情報を示している。このようなトポロジ・バイパス情報を参照することで、自身で障害を検出していない（言い換えれば、自身でＡＰＳ情報を作成していない）伝送装置１０は、バイパス伝送路３０を終端している伝送装置１０の装置ＩＤがＡＰＳ情報に含まれているか否かを好適に判定することができる。
【００８２】
続いて、伝送装置１０＃３は、図８に示す動作例に従って、伝送経路を切り替える。具体的には、伝送装置１０＃３では、伝送装置１０＃３自身が障害を検出し（図８のステップＳ３０１：Ｙｅｓ）、検出された障害の優先度が高く（図８のステップＳ３０２：Ｙｅｓ）、伝送装置１０＃３自身がバイパス伝送路３０を終端しており（図８のステップＳ３０３：Ｙｅｓ）、検出された障害がバイパス伝送路３０における障害であり（図８のステップＳ３０４：Ｙｅｓ）、且つバイパス伝送路３０を介して対向する二つの伝送装置１０＃３及び１０＃７を接続するリング伝送路２０上に存在する伝送装置１０の数が、イースト側及びウエスト側で同一（具体的には、共に３）である（図８のステップＳ３０５：Ｙｅｓ）という判定が行われる。従って、図１１に示すように、伝送装置１０＃７と比較して装置ＩＤが小さい伝送装置１０＃３は、バイパス側の現用回線を、ウエスト側のリング伝送路２０の予備回線２２に接続する。
【００８３】
他方で、バイパス伝送路３０を介して対向する伝送装置１０＃７では、伝送装置１０＃７自身が障害を検出しておらず（図８のステップＳ３０１：Ｎｏ）、受信したＡＰＳ情報の優先度が高く（図８のステップＳ３０８：Ｙｅｓ）、ＡＰＳ情報に伝送装置１０＃７の装置ＩＤが含まれ（図８のステップＳ３０９：Ｙｅｓ）、ＡＰＳ情報にバイパス伝送路３０を終端している伝送装置１０＃３及び１０＃７の装置ＩＤが含まれ（図８のステップＳ３１０：Ｙｅｓ）、且つバイパス伝送路３０を介して対向する二つの伝送装置１０＃３及び１０＃７を接続するリング伝送路２０上に存在する伝送装置１０の数が、イースト側及びウエスト側で同一（具体的には、共に３）である（図８のステップＳ３０５：Ｙｅｓ）という判定が行われる。従って、図１１に示すように、伝送装置１０＃３と比較して装置ＩＤが大きい伝送装置１０＃７は、バイパス側の現用回線を、イースト側のリング伝送路２０の予備回線２２に接続する。
【００８４】
他方で、バイパス伝送路３０を終端していない伝送装置１０＃１、１０＃２、１０＃４から１０＃６及び１０＃８では、伝送装置１０＃１、１０＃２、１０＃４から１０＃６又は１０＃８自身が障害を検出しておらず（図８のステップＳ３０１：Ｎｏ）、受信したＡＰＳ情報の優先度が高く（図８のステップＳ３０８：Ｙｅｓ）、且つＡＰＳ情報に伝送装置１０＃１、１０＃２、１０＃４から１０＃６又は１０＃８の装置ＩＤが含まれていない（図８のステップＳ３０９：Ｎｏ）という判定が行われる。従って、図１１に示すように、伝送装置１０＃１、１０＃２、１０＃４から１０＃６及び１０＃８は、イースト側のリング伝送路２０の予備回線２２とウエスト側のリング伝送路２０の予備回線２２とをスルー接続する。
【００８５】
これにより、図１１に示すように、伝送装置１０＃２と伝送装置１０＃７との間のバイパス伝送路３０を介した伝送経路は、リング伝送路２０の予備回線２２を用いて救済される。
【００８６】
（５−２）第２具体例
続いて、図１２から図１４を参照して、本実施形態の伝送装置１０による伝送経路の切替動作の第２具体例について説明する。ここに、図１２は、第２具体例における伝送経路の切替動作前の伝送システム１の状態を示す模式図であり、図１３は、第２具体例における伝送経路の切替動作によって作成されるＡＰＳ情報及びトポロジ・バイパス情報を示すデータ構造図であり、図１４は、第２具体例における伝送経路の切替動作前の伝送システム１の状態を示す模式図である。
【００８７】
図１２に示すように、図９に示す状態の伝送システム１に対して伝送装置１０＃４及び伝送装置１０＃６が終端するバイパス伝送路３１が更に追加され、且つ、伝送装置１０＃４及び伝送装置１０＃６、並びにバイパス伝送路３１を介して、伝送装置１０＃４に接続する不図示の終端装置と伝送装置１０＃６に接続する不図示の終端装置とが信号を送受信する例を用いて説明を進める。ここで、図１２に示すように、バイパス伝送路３０に相対的に重度な障害が先に発生し且つ伝送装置１０＃３がバイパス伝送路３０の障害を検出すると共に、続いてバイパス伝送路３１に相対的に軽度の障害が発生し且つ伝送装置１０＃６がバイパス伝送路３１の障害を検出するものとする。
【００８８】
先に発生したバイパス伝送路３０の障害に対しては、図９から図１１を用いて説明した動作と同様の動作が行われる。その結果、図１４に示すように、伝送装置１０＃２と伝送装置１０＃７との間のバイパス伝送路３０を介した伝送経路は、リング伝送路２０の予備回線２２を用いて救済される。
【００８９】
続いて、バイパス伝送路３１の障害が新たに発生した場合には、伝送装置１０＃６は、図７に示す動作例に従って、ＡＰＳ情報を作成する。具体的には、伝送装置１０＃６では、伝送装置１０＃６自身が障害を検出し（図７のステップＳ２０１：Ｙｅｓ）、且つ検出された障害の優先度が低い（図７のステップＳ２０２：Ｎｏ）という判定が行われる。従って、伝送装置１０＃６は、図１３（ａ）に示すように、先に発生したバイパス伝送路３０の障害に対するＡＰＳ情報（言い換えれば、伝送装置１０＃３から既に通知されていた優先度の高いＡＰＳ情報）を、リング伝送路２０を介してイースト側の伝送装置１０＃７へ通知する。伝送装置１０＃７では、伝送装置１０＃７自身が障害を検出しておらず（図７のステップＳ２０１：Ｎｏ）、且つ伝送装置１０＃６から受信したＡＰＳ情報（言い換えれば、伝送装置１０＃３から既に通知されていた優先度の高いＡＰＳ情報）の優先度が高い（図７のステップＳ２０５：Ｙｅｓ）という判定が行われる。従って、伝送装置１０＃７は、受信したＡＰＳ情報をイースト側の伝送装置１０＃８へと更に通知する。このような動作が、伝送装置１０＃８及び１０＃１から１０＃５によっても行われる。その結果、伝送装置１０＃１から１０＃８のいずれに対しても、図１３（ａ）に示すＡＰＳ情報が通知される。言い換えれば、伝送装置１０＃１から１０＃８のいずれに対しても、パイパス伝送路３０の障害が発生した後にバイパス伝送路３１に発生した相対的に軽度な障害を反映するＡＰＳ情報が通知されることはない。
【００９０】
従って、図１４に示すように、パイパス伝送路３０の障害が発生した後に相対的に軽度な障害がバイパス伝送路３１に発生したとしても、伝送路＃４と伝送路＃６との間のバイパス伝送路３１を介した伝送経路は、リング伝送路２０の予備回線２２を用いて救済されない。
【００９１】
（５−３）第３具体例
続いて、図１５から図１７を参照して、本実施形態の伝送装置１０による伝送経路の切替動作の第３具体例について説明する。ここに、図１５は、第３具体例における伝送経路の切替動作前の伝送システム１の状態を示す模式図であり、図１６は、第３具体例における伝送経路の切替動作によって作成されるＡＰＳ情報及びトポロジ・バイパス情報を示すデータ構造図であり、図１７は、第３具体例における伝送経路の切替動作前の伝送システム１の状態を示す模式図である。
【００９２】
図１５に示すように、図１２に示す状態の伝送システム１において、バイパス伝送路３０に相対的に軽度な障害が先に発生し且つ伝送装置１０＃３がバイパス伝送路３０の障害を検出すると共に、続いてバイパス伝送路３１に相対的に重度の障害が後に発生し且つ伝送装置１０＃６がバイパス伝送路３１の障害を検出する場合の例について説明する。
【００９３】
先に発生したバイパス伝送路３０の障害に対しては、図９から図１１を用いて説明した動作と同様の動作が行われる。その結果、図１７に示すように、伝送装置１０＃２と伝送装置１０＃７との間のバイパス伝送路３０を介した伝送経路は、リング伝送路２０の予備回線２２を用いて救済される。
【００９４】
続いて、バイパス伝送路３１の障害が新たに発生した場合には、伝送装置１０＃６は、図７に示す動作例に従って、ＡＰＳ情報を作成する。具体的には、伝送装置１０＃６では、伝送装置１０＃６自身が障害を検出し（図７のステップＳ２０１：Ｙｅｓ）、検出された障害の優先度が高く（図７のステップＳ２０２：Ｙｅｓ）、且つ検出された障害がバイパス伝送路３１における障害である（図７のステップＳ２０３：Ｙｅｓ）という判定が行われる。従って、伝送装置１０＃６は、図１６（ａ）に示すように、バイパス伝送路３１を終端する一方の伝送装置１０＃６の装置ＩＤ「６」をソースに設定し且つバイパス伝送路３１を終端する他方の伝送装置１０＃４の装置ＩＤ「４」をデスティネーションに設定したＡＰＳ情報を作成する（図７のステップＳ２０４）。
【００９５】
続いて、伝送装置１０＃６は、作成したＡＰＳ情報を、リング伝送路２０を介してイースト側の伝送装置１０＃７へ通知する。伝送装置１０＃７では、伝送装置１０＃７自身がバイパス伝送路３１における障害を検出しておらず（図７のステップＳ２０１：Ｎｏ）、且つ伝送装置１０＃６から受信したＡＰＳ情報の優先度が高い（図７のステップＳ２０５：Ｙｅｓ）という判定が行われる。従って、伝送装置１０＃７は、受信したＡＰＳ情報をイースト側の伝送装置１０＃８へと更に通知する。このような動作が、伝送装置１０＃８及び＃１から１０＃５によっても行われる。その結果、伝送装置１０＃１から１０＃８のいずれに対しても、図１６（ａ）に示すＡＰＳ情報が通知される。
【００９６】
また、図１５に示す状態で伝送装置１０＃１から伝送装置１０＃８の夫々のトポロジ・バイパス情報管理部１１３によって管理されるトポロジ・バイパス情報は、図１６（ｂ）に示すとおりである。このようなトポロジ・バイパス情報を参照することで、自身で障害を検出していない（言い換えれば、自身でＡＰＳ情報を作成していない）伝送装置１０は、バイパス伝送路３０又は３１を終端している伝送装置１０の装置ＩＤがＡＰＳ情報に含まれているか否かを好適に判定することができる。
【００９７】
続いて、伝送装置１０＃６は、図８に示す動作例に従って、伝送経路を切り替える。具体的には、伝送装置１０＃６では、伝送装置１０＃６自身が障害を検出し（図８のステップＳ３０１：Ｙｅｓ）、検出された障害の優先度が高く（図８のステップＳ３０２：Ｙｅｓ）、伝送装置１０＃６自身がバイパス伝送路３１を終端しており（図８のステップＳ３０３：Ｙｅｓ）、検出された障害がバイパス伝送路３１における障害であり（図８のステップＳ３０４：Ｙｅｓ）、且つバイパス伝送路３１を介して対向する二つの伝送装置１０＃４及び１０＃６を接続するリング伝送路２０上に存在する伝送装置１０の数が、イースト側及びウエスト側で同一でない（図８のステップＳ３０５：Ｎｏ）という判定が行われる。従って、図１７に示すように、伝送装置１０＃６は、バイパス側の現用回線を、バイパス伝送路３１を介して対向する二つの伝送装置１０＃４及び１０＃６を接続するリング伝送路２０上に存在する伝送装置１０の数が少ないウエスト側のリング伝送路２０の予備回線２２に接続する。
【００９８】
他方で、バイパス伝送路３１を介して対向する伝送装置１０＃４では、伝送装置１０＃４自身が障害を検出しておらず（図８のステップＳ３０１：Ｎｏ）、受信したＡＰＳ情報の優先度が高く（図８のステップＳ３０８：Ｙｅｓ）、ＡＰＳ情報に伝送装置１０＃４の装置ＩＤが含まれ（図８のステップＳ３０９：Ｙｅｓ）、ＡＰＳ情報にバイパス伝送路３１を終端している伝送装置１０＃４及び１０＃６の装置ＩＤが含まれ（図８のステップＳ３１０：Ｙｅｓ）、且つバイパス伝送路３１を介して対向する二つの伝送装置１０＃４及び１０＃６を接続するリング伝送路２０上に存在する伝送装置１０の数が、イースト側及びウエスト側で同一でない（図８のステップＳ３０５：Ｎｏ）という判定が行われる。従って、図１７に示すように、伝送装置１０＃４は、バイパス側の現用回線を、バイパス伝送路３１を介して対向する二つの伝送装置１０＃４及び１０＃６を接続するリング伝送路２０上に存在する伝送装置１０の数が少ないイースト側のリング伝送路２０の予備回線２２に接続する。
【００９９】
他方で、バイパス伝送路３１を終端していない伝送装置１０＃１から１０＃３、１０＃５、１０＃７及び１０＃８では、伝送装置１０＃１から１０＃３、１０＃５、１０＃７又は１０＃８自身が障害を検出しておらず（図８のステップＳ３０１：Ｎｏ）、受信したＡＰＳ情報の優先度が高く（図８のステップＳ３０８：Ｙｅｓ）、且つＡＰＳ情報に伝送装置１０１０＃１から１０＃３、１０＃５、１０＃７又は１０＃８の装置ＩＤが含まれていない（図８のステップＳ３０９：Ｎｏ）という判定が行われる。従って、図１７に示すように、伝送装置１０＃１から１０＃３、１０＃５、１０＃７及び１０＃８は、イースト側のリング伝送路２０の予備回線２２とウエスト側のリング伝送路２０の予備回線２２とをスルー接続する。
【０１００】
これにより、図１７に示すように、伝送装置１０＃４と伝送装置１０＃６との間のバイパス伝送路３１を介した伝送経路は、リング伝送路２０の予備回線２２を用いて救済される。一方で、それまでリング伝送路２０の予備回線２２を用いて救済されていた伝送装置１０＃２と伝送装置１０＃７との間のバイパス伝送路３０を介した伝送経路は救済されなくなる。
【０１０１】
以上説明したように、本実施形態の伝送システム１によれば、例えばバイパス伝送路３０に障害が発生した場合等には、バイパス伝送路３０を介して伝送されるべき信号が、リング伝送路２０の予備回線２２を介して伝送される。言い換えれば、バイパス伝送路３０を介した伝送経路を救済するために、リング伝送路２０を用いることができる。このため、バイパス伝送路３０そのものの予備回線を別途敷設しなくとも、バイパス伝送路３０を介して伝送されるべき信号に対する高い信頼性を確保することができる。従って、バイパス伝送路３０そのものの予備回線を別途敷設することに起因したコストの増大をまねくことなく、伝送システム１の信頼性を好適に確保することができる。
【０１０２】
また、伝送装置１０（特に、自身で障害を検出していない伝送装置１０）は、トポロジ・バイパス情報を参照することで、バイパス伝送路３０を含む伝送経路の切替要求がなされているか否かを好適に判定することができる（図８のステップＳ３１０等参照）。従って、伝送装置１０は、リング伝送路２０を含む伝送経路の切替（いわゆる、既存のＢＬＳＲと同様の手法での切替）を行うのか、又はバイパス伝送路３０を含む伝送経路の切替（いわゆる、既存のＢＬＳＲとは異なる手法での切替）を行うのかを適切に決定することができる。
【０１０３】
より具体的には、伝送装置１０は、トポロジ・バイパス情報のうちのバイパス部に含まれる装置ＩＤがＡＰＳ情報に含まれる装置ＩＤと一致するか否かに基づいて、バイパス伝送路３０を含む伝送経路の切替要求がなされているか否かを好適に判定することができる（図８のステップＳ３１０等参照）。従って、伝送装置１０は、リング伝送路２０を含む伝送経路の切替（いわゆる、既存のＢＬＳＲと同様の手法での切替）を行うのか、又はバイパス伝送路３０を含む伝送経路の切替（いわゆる、既存のＢＬＳＲとは異なる手法での切替）を行うのかを適切に且つ比較的容易に決定することができる。
【０１０４】
また、トポロジ・バイパス情報として、既存のＢＬＳＲ等で使用されているトポロジ情報（トポロジ部）に対して新たにバイパス情報（バイパス部）を追加した情報を用いることができる。従って、伝送装置１０は、利用する情報の枠組みを大きく変更することなく、上述した各種効果を享受することができる。
【０１０５】
また、伝送装置１０は、伝送装置１０自身がバイパス伝送路３０を終端している場合には、バイパス伝送路３０をリング伝送路２０の予備回線２２へ接続することができる。従って、リング伝送路２０を用いて、バイパス伝送路３０を介した伝送経路を好適に救済することができる。
【０１０６】
また、伝送装置１０は、バイパス伝送路３０をリング伝送路２０の予備回線２２へ接続する際には、リング伝送路２０上に位置する伝送装置１０の数が少ない側の予備回線２２へ接続することができる。従って、伝送経路を切り替えた後に、信号の伝送を効率的に行うことができる。
【０１０７】
また、伝送装置１０は、リング伝送路２０上に位置する伝送装置１０の数がイースト側及びウエスト側の双方で一致する場合には、装置ＩＤに基づいて適切な伝送経路の切替を行うことができる。従って、伝送経路の切替時のエラーの発生をなくすことができる。尚、装置ＩＤに基づく判定はあくまで一例であって、その他の基準（例えば、何らかの優先付けや、伝送装置１０間の交渉等）によって、バイパス伝送路３０をリング伝送路２０のいずれの側の予備回線２２に接続するかを決定してもよい。
【０１０８】
以上説明した実施形態に関して、更に以下の付記を開示する。
【０１０９】
（付記１）
ループ状のリング伝送路及び当該リング伝送路上の所定の二点をバイパスするバイパス伝送路を含む通信伝送路に設置される伝送装置であって、前記バイパス伝送路を介して伝送されるべき信号の伝送経路の切替要求が発生しているか否かを判定する判定手段と、前記切替要求が発生していると判定された場合に、前記バイパス伝送路を介して伝送されるべき前記信号が前記リング伝送路の少なくとも一部を介して伝送されるように、前記通信伝送路上における前記信号の伝送経路を切り替える切替手段とを備えることを特徴とする伝送装置。
【０１１０】
（付記２）
前記バイパス伝送路を終端する伝送装置を示す装置情報を取得する取得手段を更に備え、前記判定手段は、前記装置情報に基づいて、前記バイパス伝送路を介して伝送されるべき信号の伝送経路の切替要求が発生しているか否かを判定することを特徴とする付記１に記載の伝送装置。
【０１１１】
（付記３）
前記装置情報は、前記バイパス伝送路を終端する伝送装置の前記識別情報を示すバイパス情報を含むことを特徴とする付記２に記載の伝送装置。
【０１１２】
（付記４）
前記装置情報は、(i)前記リング伝送路上に設置される伝送装置を識別する識別情報が自身の識別情報を起点として順に配列されているトポロジ情報、及び(ii)前記トポロジ情報に含まれる前記識別情報のうち前記バイパス伝送路を終端する伝送装置の前記識別情報に対して、前記バイパス伝送路の対向側の伝送装置の前記識別情報が対応付けられているバイパス情報を含むことを特徴とする付記２に記載の伝送装置。
【０１１３】
（付記５）
前記切替要求は、前記伝送経路の切替を行なう起点及び終点となる伝送装置を識別する前記識別情報を含み、前記判定手段は、他の伝送装置から送信される前記切替要求に含まれる前記識別情報が、前記バイパス情報に含まれる前記識別情報と一致する場合に、前記バイパス伝送路を介して伝送されるべき前記信号の伝送経路の切替要求が発生していると判定することを特徴とする付記３又は４に記載の伝送装置。
【０１１４】
（付記６）
前記切替手段は、自身が前記バイパス伝送路を終端している伝送装置である場合には、前記バイパス伝送路の現用回線を前記リング伝送路の予備回線へ接続するように前記伝送経路を切り替えることを特徴とする付記１から５のいずれか一項に記載の伝送装置。
【０１１５】
（付記７）
前記切替手段は、自身が前記バイパス伝送路を終端している伝送装置である場合には、前記バイパス伝送路の現用回線を、前記リング伝送路の一方側の予備回線と他方側の予備回線のうち、前記バイパス伝送路の対向側の伝送装置との間に存在する伝送装置の数が少ない側の予備回線へ接続するように前記伝送経路を切り替えることを特徴とする付記６に記載の伝送装置。
【０１１６】
（付記８）
前記切替手段は、自身が前記バイパス伝送路を終端している伝送装置である場合には、前記バイパス伝送路の現用回線を、当該伝送装置及び前記バイパス伝送路の対向側の伝送装置の双方に共通する所定の基準に応じて選択される前記リング伝送路の一方側の予備回線及び他方側の予備回線のうちの一方に接続するように前記伝送経路を切り替えることを特徴とする付記６に記載の伝送装置。
【０１１７】
（付記９）
前記切替手段は、自身が前記バイパス伝送路を終端している伝送装置であり且つ前記バイパス伝送路の対向側の伝送装置との間に存在する伝送装置の数が前記リング伝送路の一方側と他方側の双方で等しい場合には、前記バイパス伝送路の現用回線を、当該伝送装置及び前記バイパス伝送路の対向側の伝送装置の双方に共通する所定の基準に応じて選択される前記リング伝送路の一方側の予備回線及び他方側の予備回線のうちの一方に接続するように前記伝送経路を切り替えることを特徴とする付記６に記載の伝送装置。
【０１１８】
（付記１０）
前記切替手段は、(i)自身を識別するための識別情報と前記バイパス伝送路の対向側の伝送装置を識別するための識別情報との間で前記所定の基準が満たされる場合には、前記バイパス伝送路の現用回線を、前記リング伝送路の一方側の予備回線に接続するように前記伝送経路を切り替え、(ii)自身を識別するための識別情報と前記バイパス伝送路の対向側の伝送装置を識別するための識別情報との間で前記所定の基準が満たされない場合には、前記バイパス伝送路の現用回線を、前記リング伝送路の他方側の予備回線に接続するように前記伝送経路を切り替えることを特徴とする付記８又は９に記載の伝送装置。
【０１１９】
（付記１１）
前記切替要求は、前記伝送経路の切替を行なう起点及び終点となる伝送装置を識別する前記識別情報を含み、前記切替要求が自身を識別する装置ＩＤを含んでいない場合には、前記切替手段は、前記リング伝送路の一方側の予備回線と他方側の予備回線とをスルー接続するように前記伝送経路を切り替えることを特徴とする付記１から１０のいずれか一項に記載の伝送装置。
【０１２０】
（付記１２）
ループ状のリング伝送路及び当該リング伝送路上の所定の二点をバイパスするバイパス伝送路を含む通信伝送路に設置される伝送装置における伝送経路の切替方法であって、前記バイパス伝送路を介して伝送されるべき信号の伝送経路の切替要求が発生しているか否かを判定する判定工程と、前記切替要求が発生していると判定された場合に、前記バイパス伝送路を介して伝送されるべき前記信号が前記リング伝送路の少なくとも一部を介して伝送されるように、前記通信伝送路上における前記信号の伝送経路を切り替える切替工程とを備えることを特徴とする切替方法。
【０１２１】
（付記１３）
ループ状のリング伝送路と、前記リング伝送路上に設置される複数の伝送装置と、前記複数の伝送装置のうち前記リング伝送路上の所定の二点に設置される二つの伝送装置をバイパスするバイパス伝送路とを備える伝送システムであって、前記複数の伝送装置のうちの少なくとも一つは、前記バイパス伝送路を介して伝送されるべき信号の伝送経路の切替要求が発生しているか否かを判定する判定手段と、前記切替要求が発生していると判定された場合に、前記バイパス伝送路を介して伝送されるべき前記信号が前記リング伝送路の少なくとも一部を介して伝送されるように、前記通信伝送路上における前記信号の伝送経路を切り替える切替手段とを備えることを特徴とする伝送システム。
【符号の説明】
【０１２２】
１  伝送システム
１０  伝送装置
２０  リング伝送路
３０、３１  バイパス伝送路
１０１  バイパス側信号送受信部
１０２  終端側信号送受信部
１０３  イースト側信号送受信部
１０４  ウエスト側信号送受信部
１１１  オーバーヘッド信号受信部
１１２  ＡＰＳ情報管理部
１１３  トポロジ・バイパス情報管理部
１２１  障害検出部
１２２  ＡＰＳ情報作成部
１３０  救済ルート判定部
１４０  現用回線接続部１４０
１５０  予備回線接続部１５０
【図１】
0005540827.tif 000002
【図２】
0005540827.tif 000003
【図３】
0005540827.tif 000004
【図４】
0005540827.tif 000005
【図５】
0005540827.tif 000006
【図６】
0005540827.tif 000007
【図７】
0005540827.tif 000008
【図８】
0005540827.tif 000009
【図９】
0005540827.tif 000010
【図１０】
0005540827.tif 000011
【図１１】
0005540827.tif 000012
【図１２】
0005540827.tif 000013
【図１３】
0005540827.tif 000014
【図１４】
0005540827.tif 000015
【図１５】
0005540827.tif 000016
【図１６】
0005540827.tif 000017
【図１７】
0005540827.tif 000018